【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
一方向カーボンファイバー複合層（１５２，１５３，１５６，１５７）から形成されるボディーを備える構造部材であって、
該ボディーが長軸及び長軸に垂直な断面を有し、該断面が少なくとも一つの均一な曲線及び少なくとも一つの複合曲線をボディーに提供するために長軸のポーションに沿って変化し、
均一な曲線を形成する複合層が長軸に沿って非連続的である構造部材。
【請求項２】
断面がウェブ（１２４）及びウェブから延長される少なくとも一つのフランジ（１２０，１２２）を備える請求項１の部材。
【請求項３】
ファイバー複合層（１５２，１５３，１５６，１５７）が一方向浸透済みテープ材料を備える請求項１の部材。
【請求項４】
ボディーがウェブ（１２４）及び該ウェブから延長された対向するフランジ（１２０，１２２）を有する梁（１０４）、互いに平行に延びた対向するフランジのポーション、及び複合曲線を規定する互いに傾斜して延びるフランジのポーションを備える請求項１の部材。
【請求項５】
対向するウェブ（１２４）の一つは実質的に直線及び連続的である請求項４の部材。
【請求項６】
フランジ（１２０，１２２）が部分的に平行であり、他のフランジに対して部分的に傾斜している請求項４の部材。
【請求項７】
複合曲線を形成する少なくともいくつかの複合層（１５２，１５３，１５６，１５７）が長軸に沿って連続的であり、長軸に沿った一方向ファイバーのしわがなく複合曲線プロファイルが形成される請求項１の部材。
【請求項８】
複合曲線が:
第１の及び長軸に沿った均一な断面を有する第１の直線ポーション（１２６）；
第２の及び長軸に沿った均一な断面を有する第２の直線ポーション（１２８）、第１の断面と異なる第２の断面;及び
第１及び第２の直線ポーションの間に延び、第３の長軸に沿って均一ではない断面を有する遷移部分（１３０）を備える請求項１の部材。
【請求項９】
ボディーが複数の一方向カーボンファイバー複合層（１５２，１５３，１５６，１５７）を備え、層内の複数のファイバーが互いに異なる方向を向いている請求項１の部材。
【請求項１０】
ボディーは、線形プロファイル及び非線形プロファイルを規定するように配置された複数の一方向カーボンファイバー複合層（１５２，１５３，１５６，１５７）を備え、非線形曲線プロファイルを形成する複数の層が部材の長軸に沿った線形プロファイルを形成する複数の層とは異なり配置される請求項１の部材。
【請求項１１】
一部に均一曲線及び一部に複合曲線を有する複合構造エレメントの製造方法であって、部材は一方向カーボンファイバー複合材料の層の平面チャージから形成され、
平面チャージを、０度ファイバーを有する層及び非０度ファイバーを有する層の別個の
スタックに分類すること、
平面チャージのスタックを並べて、それぞれ部材の均一及び複合曲線ポーションのための別個の層群を作成すること、
０度ファイバーを有する少なくともいくつかの層を部材の曲線及び非曲線ポーションに別々に適用すること、
を含む、方法。
【請求項１２】
また、平面チャージの非０度層の別個のスタックへの分類は、平面チャージの０度ファイバーに対して＋４５度及び−４５度の角度に配向されたファイバーを有する層への分類を含む、請求項１１の方法。
【請求項１３】
部材が、一つの直線フランジ、ウェブ及び一つの非直線フランジを有するC型チャンネルとして形成される方法であって、さらに、
＋４５度の角度に配向されたファイバーを有する少なくとも一つの層及び−４５度の角度に配向されたファイバーを有する少なくとも一つの層の、Ｃ型チャンネルの直線フランジ、ウェブ及び非直線フランジを包括する第１のドレープチャージを準備すること、
非直線フランジを覆う０度の角度に配向されたファイバーを有する層を含む第２のドレープチャージを準備すること、
＋４５度の角度に配向されたファイバーを有する少なくとも一つの層及び−４５度の角度に配向されたファイバーを有する少なくとも一つの層の、C型チャンネルの直線フランジ、ウェブ及び非直線フランジを包括する第３のドレープチャージを準備すること、及び、
非直線フランジに適用される０度の角度に配向されたファイバーを有する層を含む第４のドレープチャージを準備すること、
を含む、請求項１１の方法。
【手続補正２】
【補正対象書類名】明細書
【補正対象項目名】００５２
【補正方法】変更
【補正の内容】
【００５２】
開示された部材及び方法は多様な具体例に拠って記載されたが、当業者は部材及び方法が特許請求の範囲の精神及び範囲内において変形可能であることが分かる。
また、本発明は以下に記載する態様を含む。
（態様１）
一方向カーボンファイバー複合層（１５２，１５３，１５６，１５７）から形成されるボディーを備える構造部材であって、
該ボディーが長軸及び長軸に垂直な断面を有し、該断面が少なくとも一つの均一な曲線及び少なくとも一つの複合曲線をボディーに提供するために長軸のポーションに沿って変化し、
均一な曲線を形成する複合層が長軸に沿って非連続的である構造部材。
（態様２）
断面がウェブ（１２４）及びウェブから延長される少なくとも一つのフランジ（１２０，１２２）を備える態様１の部材。
（態様３）
ファイバー複合層（１５２，１５３，１５６，１５７）が一方向浸透済みテープ材料を備える態様１の部材。
（態様４）
ボディーがウェブ（１２４）及び該ウェブから延長された対向するフランジ（１２０，１２２）を有する梁（１０４）、互いに平行に延びた対向するフランジのポーション、及び複合曲線を規定する互いに傾斜して延びるフランジのポーションを備える態様１の部材。
（態様５）
対向するウェブ（１２４）の一つは実質的に直線及び連続的である態様４の部材。
（態様６）
フランジ（１２０，１２２）が部分的に平行であり、他のフランジに対して部分的に傾斜している態様４の部材。
（態様７）
複合曲線を形成する少なくともいくつかの複合層（１５２，１５３，１５６，１５７）が長軸に沿って連続的であり、長軸に沿った一方向ファイバーのしわがなく複合曲線プロファイルが形成される態様１の部材。
（態様８）
複合曲線が:
第１の及び長軸に沿った均一な断面を有する第１の直線ポーション（１２６）；
第２の及び長軸に沿った均一な断面を有する第２の直線ポーション（１２８）、第１の断面と異なる第２の断面;及び
第１及び第２の直線ポーションの間に延び、第３の長軸に沿って均一ではない断面を有する遷移部分（１３０）を備える態様１の部材。
（態様９）
ボディーが複数の一方向カーボンファイバー複合層（１５２，１５３，１５６，１５７）を備え、層内の複数のファイバーが互いに異なる方向を向いている態様１の部材。
（態様１０）
ボディーは、線形プロファイル及び非線形プロファイルを規定するように配置された複数の一方向カーボンファイバー複合層（１５２，１５３，１５６，１５７）を備え、非線形曲線プロファイルを形成する複数の層が部材の長軸に沿った線形プロファイルを形成する複数の層とは異なり配置される態様１の部材。
（態様１１）
一部に均一曲線及び一部に複合曲線を有する複合構造エレメントの製造方法であって、部材は一方向カーボンファイバー複合材料の層の平面チャージから形成され、
平面チャージを、０度ファイバーを有する層及び非０度ファイバーを有する層の別個の
スタックに分類すること、
平面チャージのスタックを並べて、それぞれ部材の均一及び複合曲線ポーションのための別個の層群を作成すること、
０度ファイバーを有する少なくともいくつかの層を部材の曲線及び非曲線ポーションに別々に適用すること、
を含む、方法。
（態様１２）
また、平面チャージの非０度層の別個のスタックへの分類は、平面チャージの０度ファイバーに対して＋４５度及び−４５度の角度に配向されたファイバーを有する層への分類を含む、態様１１の方法。
（態様１３）
部材が、一つの直線フランジ、ウェブ及び一つの非直線フランジを有するC型チャンネルとして形成される方法であって、さらに、
＋４５度の角度に配向されたファイバーを有する少なくとも一つの層及び−４５度の角度に配向されたファイバーを有する少なくとも一つの層の、Ｃ型チャンネルの直線フランジ、ウェブ及び非直線フランジを包括する第１のドレープチャージを準備すること、
非直線フランジを覆う０度の角度に配向されたファイバーを有する層を含む第２のドレープチャージを準備すること、
＋４５度の角度に配向されたファイバーを有する少なくとも一つの層及び−４５度の角度に配向されたファイバーを有する少なくとも一つの層の、C型チャンネルの直線フランジ、ウェブ及び非直線フランジを包括する第３のドレープチャージを準備すること、及び、
非直線フランジに適用される０度の角度に配向されたファイバーを有する層を含む第４のドレープを準備すること、
を含む、態様１１の方法。